(57)【特許請求の範囲】
【請求項１】
竿芯と、
穂先と、
前記竿芯の外周面に設けた、グリップ及び／又はリールシートの付属品と、
前記竿芯と前記グリップ及び／又はリールシートとの間に軸方向に向かって形成した空間と、
を備え、
前記空間は、前記グリップ及び／又は前記リールシートのキャップに設けた孔（３）、及び前記グリップ及び／又は前記リールシートの差込み片に設けた連通孔（３０１）、及び／又は、前記グリップ及び／又は前記リールシートに内設した補強パイプに設けた隙間（９）から構成し、
前記空間には、前記穂先に釣り糸及び／又は釣り糸ガイドを備えた態様で、前記穂先を収容可能とした、
ことを特徴とする、穂先に釣り糸及び／又は釣り糸ガイドを取付けた状態で竿芯に保持可能な構造。
【請求項２】
竿芯と、
穂先と、
前記竿芯に並設して取付けた補助管（２１）と、
を備え、
前記補助管には、前記穂先に釣り糸及び／又は釣り糸ガイドを取付けた状態で、収容可能とするとともに、前記竿芯の開口先端部、及び前記穂先の差込み基端部を、止め具（１３）で固定可能とした
ことを特徴とする、穂先に釣り糸及び／又は釣り糸ガイドを取付けた状態で竿芯に保持可能な構造。
【請求項３】
前記竿芯の開口先端部、及び前記穂先の差込み基端部を、止め具（１３）で固定可能としたことを特徴とする、請求項１に記載の穂先に釣り糸及び／又は釣り糸ガイドを取付けた状態で竿芯に保持可能な構造。
【請求項４】
前記補助管と前記竿芯とを、ゴム、シリコン、又は各種樹脂でなる弾性素材の止めパーツ（２０）を介在して連繋するとともに、前記止めパーツ（２０）には、前記補助管及び前記竿芯係止用の係止部を設けたことを特徴とする、請求項２に記載の穂先に釣り糸及び／又は釣り糸ガイドを取付けた状態で竿芯に保持可能な構造。
【請求項５】
前記止め具（１３）に、浮力を担持する部位、又は夜光塗料、蛍光塗料による識別部位を備えていることを特徴とする、請求項２から請求項４のいずれか一項に記載の穂先に釣り糸及び／又は釣り糸ガイドを取付けた状態で竿芯に保持可能な構造。
【請求項６】
前記止め具（１３）はキャップ本体（１３００）とキャップ（１３０２）とで構成し、前記キャップ本体と前記キャップとを、シリコン、樹脂材、又は接着剤でなる係止手段で固止する構成としたことを特徴とする、請求項２から請求項５のいずれか一項に記載の穂先に釣り糸及び／又は釣り糸ガイドを取付けた状態で竿芯に保持可能な構造。
【請求項７】
前記止め具（１３）はキャップ本体（１３００）とキャップ（１３０２）とで構成し、前記キャップ本体の凹部と前記キャップの凹部とを、シリコン、樹脂材、接着剤、又はその他の詰物で固止する構成としたことを特徴とする、請求項２から請求項５のいずれか一項に記載の穂先に釣り糸及び／又は釣り糸ガイドを取付けた状態で竿芯に保持可能な構造。
【請求項８】
前記補助管には、前記釣り糸を挿入可能な切込みを備えていることを特徴とする、請求項２に記載の穂先に釣り糸及び／又は釣り糸ガイドを取付けた状態で竿芯に保持可能な構造。
【請求項９】
前記空間を形成する前記連通孔（３０１）及び前記隙間（９）には、防水手段か、防水パイプを設ける構成とした請求項１に記載の穂先に釣り糸及び／又は釣り糸ガイドを取付けた状態で竿芯に保持可能な構造。
【請求項１０】
前記止め具（１３）は、少なくとも、孔（１３０１ａ）と孔（１３０１ｂ）を備えており、前記竿芯、前記穂先を、前記孔（１３０１ａ）、又は前記孔（１３０１ｂ）の何れかに、それぞれ支持する構成とした、請求項２に記載の穂先に釣り糸及び／又は釣り糸ガイドを取付けた状態で竿芯に保持可能な構造。
【発明の詳細な説明】
【技術分野】
【０００１】
本発明は、穂先、及び／又は、竿芯に釣り糸及び／又は釣り糸ガイドを取付けた状態で竿芯（釣竿）に保持可能な構造に関する。
【背景技術】
【０００２】
一般的な竿芯（釣竿）に関して説明すると、竿芯には、振り出し竿とか、２本３本等の継ぎ竿等がある。また、竿芯は、リール付きタイプと、リール無しタイプ等に分けられる。
【０００３】
そして、今回、対象とするのは、リール付き継ぎ竿（リール付き竿芯）である。通常、釣人は、当たりとか、引き具合、釣果状況や、釣り場の状況等で移動する。その際に、この種のリール付き竿芯では、例えば、リールを付け、かつ釣り糸ガイドに釣り糸を取付けた状態で、竿芯（元竿）と、穂先を一体で、又は元竿と、穂先等を分離したまま移動することがある。この移動では、釣り糸の絡みとか、穂先の破損、怪我の発生があり厄介である。そのために、最近は、穂先を、穂先ガード（樹脂製筒体、樹脂製袋）に入れ、この穂先ガードを、マジックテープ（登録商標）の付いたバンド等で、竿芯に固定し使用する方法が重宝されている。
【０００４】
先行文献として、複数の竿芯と穂先等を収容（セット）できる構造として、二、三の文献が挙げられるが、何れも、ケース（容器）に組付け、又はセットされた係止部に、竿芯、穂先を取付け固定する。例えば、実用新案登録第３１５９１００号公報、実開平５−６３２８３号公報である。
【特許文献１】実用新案登録第３１５９１００号公報
【特許文献２】実開平５−６３２８３号公報
【発明の概要】
【発明が解決しようとする課題】
【０００５】
前記文献（１）・（２）においては、竿芯、穂先を収容することに関しては、有効であるが、移動時のことを考えた場合には、問題である。
【０００６】
そこで、本発明では、次のことを意図する。
１）  竿芯（元竿）に備えたグリップ、及びリールシートには、その口金に穂先を差込みできる孔を備え、かつこのグリップ、及びリールシートには、穂先を差込みできる連通孔と隙間を備えており、また、ゴムやシリコン等の素材でなり竿芯細部が入る孔、穂先太部が入る孔を備えた止め具、又は後述するが、ポリカーボネイトやプラスティック、アクリル等樹脂でなり、望ましくは、その他穂先を保護するパイプ（補助管）を利用して、釣り糸ガイドに釣り糸を通し、かつ竿芯と穂先を切り離した（別体でない）状態で、持ち運びが可能となる。尚、止め具の外側に止め具カバーを付けることによって、浮力を付けることができ、海等に落としても回収できる機構となっている。また、止め具を構成するキャップ本体、又はキャップには凹凸部を設けることで、抜け防止を図る構造である。補強パイプには、場合により、釣り糸に傷がつかないように切り込みがある。
２）  竿芯と穂先を確実、かつ安定的に保持することを意図し、竿芯と穂先の差込み孔を備えたゴムやシリコン等の素材でなるキャップ（閉塞部）と、このキャップが差込み支持されるキャップ本体でなる止め具を備える。これによって、止め具では、釣り糸、釣り糸ガイドを付けたまま、竿芯細部及び穂先太部を差込み支持できる。かつ釣り糸ガイドに、リールの釣り糸を通し、竿芯と穂先を切り離した（別体でない）状態で、竿芯、及び穂先、並びに釣り糸ガイド、及び釣り糸を破損することなく持ち運びが可能となる。
３）  継竿においては、通常、竿芯の中に穂先が収納されている場合か、或いは透明の筒に穂先を入れ販売されているものがほとんどである。そこで、本発明は、この透明の筒を再利用する。即ち、筒を、竿芯に、冶具（止めパーツ）を介して並設可能とする。併せて、筒に穂先を収容することである。
【０００７】
前述した１）〜３）を達成することで、従来の課題解決に有効である。
【課題を解決するための手段】
【０００８】
課題解決を意図し、請求項１〜請求項１０を提供する。
【発明の効果】
【０００９】
請求項１の発明は、
竿芯と、
穂先と、
竿芯の外周面に設けた、グリップ及び／又はリールシートの付属品と、
竿芯と前記グリップ及び／又はリールシートとの間に軸方向に向かって形成した空間と、
を備え、
空間は、グリップ及び／又はリールシートのキャップに設けた孔（３）、及びグリップ及び／又はリールシートの差込み片に設けた連通孔（３０１）、及び／又は、グリップ及び／又はリールシートに内設した補強パイプに設けた隙間（９）から構成し、
空間には、穂先に釣り糸及び／又は釣り糸ガイドを備えた態様で、穂先を収容可能とした、
ことを特徴とする、穂先に釣り糸及び／又は釣り糸ガイドを取付けた状態で竿芯に保持可能な構造である。
【００１０】
これにより、少なくとも、前記１）と２）の効果が期待できる。
【００１１】
請求項２の発明は、
竿芯と、
穂先と、
竿芯に並設して取付けた補助管（２１）と、
を備え、
補助管には、穂先に釣り糸及び／又は釣り糸ガイドを取付けた状態で、収容可能とするとともに、竿芯の開口先端部、及び穂先の差込み基端部を、止め具（１３）で固定可能とした
ことを特徴とする、穂先に釣り糸及び／又は釣り糸ガイドを取付けた状態で竿芯に保持可能な構造である。
【００１２】
これにより、少なくとも、前記１）〜３）の効果が期待できる。
【００１３】
請求項３の発明は、
竿芯の開口先端部、及び穂先の差込み基端部を、止め具（１３）で固定可能としたことを特徴とする、穂先に釣り糸及び／又は釣り糸ガイドを取付けた状態で竿芯に保持可能な構造である。
【００１４】
これにより、少なくとも、前記１）、２）の効果が期待できる。
【００１５】
請求項４の発明は、
補助管と竿芯とを、ゴム、シリコン、又は各種樹脂でなる弾性素材の止めパーツ（２０）を介在して連繋するとともに、止めパーツ（２０）には、補助管及び竿芯係止用の係止部を設けたことを特徴とする、穂先に釣り糸及び／又は釣り糸ガイドを取付けた状態で竿芯に保持可能な構造である。
【００１６】
これにより、少なくとも、前記１）〜３）の効果が期待できる。
【００１７】
請求項５の発明は、
止め具（１３）に、浮力を担持する部位、又は夜光塗料、蛍光塗料による識別部位を備えていることを特徴とする、穂先に釣り糸及び／又は釣り糸ガイドを取付けた状態で竿芯に保持可能な構造である。
【００１８】
これにより、少なくとも、前記１）〜３）の効果が期待できる。
【００１９】
請求項６の発明は、
止め具（１３）はキャップ本体（１３００）とキャップ（１３０２）とで構成し、キャップ本体とキャップとを、シリコン、樹脂材、又は接着剤でなる係止手段で固止する構成としたことを特徴とする、穂先に釣り糸及び／又は釣り糸ガイドを取付けた状態で竿芯に保持可能な構造である。
【００２０】
これにより、少なくとも、前記１）、２）の効果が期待できる。
【００２１】
請求項７の発明は、
止め具（１３）はキャップ本体（１３００）とキャップ（１３０２）とで構成し、キャップ本体の凹部と前記キャップの凹部とを、シリコン、樹脂材、接着剤、又はその他の詰物で固止する構成としたことを特徴とする、穂先に釣り糸及び／又は釣り糸ガイドを取付けた状態で竿芯に保持可能な構造である。
【００２２】
これにより、少なくとも、前記１）、２）の効果が期待できる。
【００２３】
請求項８の発明は、
補助管には、釣り糸を挿入可能な切込みを備えていることを特徴とする、穂先に釣り糸及び／又は釣り糸ガイドを取付けた状態で竿芯に保持可能な構造である。
【００２４】
これにより、少なくとも、前記１）、２）の効果が期待できる。
【００２５】
請求項９の発明は、
空間を形成する連通孔（３０１）及び隙間（９）には、防水手段か、防水パイプを設ける構成とした穂先に釣り糸及び／又は釣り糸ガイドを取付けた状態で竿芯に保持可能な構造である。
【００２６】
これにより、少なくとも、前記１）、２）の効果が期待できる。また、付属品、竿芯の濡れ防止と、腐蝕等の防止とが図れる。
【００２９】
請求項１０の発明は、
止め具（１３）は、少なくとも、孔（１３０１ａ）と孔（１３０１ｂ）を備えており、竿芯、穂先を、孔（１３０１ａ）、又は孔（１３０１ｂ）の何れかに、それぞれ支持する構成とした、釣り糸及び／又は釣り糸ガイドを取付けた状態で竿芯に保持可能な構造である。
【００３０】
これにより、少なくとも、前記１）、２）の効果が期待できる。
【図面の簡単な説明】
【００３１】
【図１−１】第一実施例の穂先を竿芯に取付けた状態で、移動時の状態を示す斜視図
【図１−２】図１−１の要部であり、止め具と竿芯及び穂先との支持の関係を示した斜視図
【図１−３】図１−１の要部であり、竿芯と付属品との間に穂先を差込む状態を示した斜視図
【図１−４】図１−１の要部であり、リールシートを取外し、かつ補強パイプとの関係を示した分解斜視図
【図１−５】図１−１の要部であり、グリップと竿芯、並びに穂先との関係を示した拡大断面図
【図１−６】（イ）は、図１−１に示したキャップの拡大断面図、（ロ）は、図１−１に示したキャップの別の一例の拡大断面図
【図１−７】図１−１に示した短管体の拡大断面図
【図１−８】第一実施例に使用する竿芯の開口先端側と、穂先の差込み基端部を固定する止め具の一例を示す斜視図
【図１−９】図１−８に示した止め具の構造の一例の断面図
【図１−１０】図１−８に示した止め具の構造の他の一例の断面図
【図１−１１】〜（図１−１６）は、それぞれ別の止め具の各例を示しているが、内容は前述の例の図１−９、図１−１０と同じ断面図
【図２−１】第二実施例の穂先を竿芯に取付けた状態で、移動時の状態を示す斜視図
【図２−２】図２−１の要部であり、止め具と竿芯及び穂先の支持との関係を示した斜視図
【図２−３】図２−１の要部であり、竿芯と付属品との間に穂先を差込む状態を示した斜視図
【図２−４】図２−１の要部であり、リールシートを取外し、かつ補強パイプとの関係を示した分解斜視図で、一部変更する
【図２−５】図２−１の要部であり、リールシートと竿芯、並びに穂先との関係を示した拡大断面図
【図２−６】（イ）は、図２−１に示したキャップの拡大断面図、（ロ）は、図２−１に示したキャップの別の一例の拡大断面図
【図２−７】図２−１に示したリールシートのリング形状の構成部品（短管体）の拡大断面図
【図２−８】（イ）は、図２−１の他の一例を示しており、穂先と竿芯、リールシート等を取外して示した一部省略の斜視図、（ロ）は、図２−１の別の一例を示しており、リールシートの口金と、防水パイプ等の要部を分解して示した一部省略の斜視図
【図３−１】第三実施例の穂先を竿芯に取付けた状態で、移動時の状態を示す斜視図、（イ）〜（チ）に示した止めパーツのそれぞれの一例があり、斜視図、断面図において示した図
【図３−２】図３−１に使用した止めパーツの一例の斜視図
【図４−１】第四実施例の穂先を、補助管を利用して竿芯に取付けた状態で、移動時の状態を示す斜視図
【図４−２】図４−１に使用した止めパーツのその他の各例を示した拡大斜視図
【図４−３】図４−１に示した止め具その他の各例と、この止め具と補助管等の取付けを説明する拡大斜視図で、（イ）と（イ´）は、補助管用の孔にブッシュを差込み孔に陥没部を形成した構造と、凸を形成した構造とを示す、また、（ロ）と（ロ´）は、補助管を陥没部に取付けた状態を、補助管を凸に取付けた状態を示す
【図４−４】図４−１に使用した補助管の一部省略の一例の斜視図
【図５】第五実施例であり、穂先用の差込み孔に防水等の手段を施した一例の要部俯瞰図
【図６】第六実施例であり、穂先用の差込み孔に防水パイプを施した一例の拡大断面図
【図７】第七実施例であり、穂先用の差込み孔に防水パイプを施した他の一例の拡大断面図
【発明を実施するための形態】
【００３２】
以下、本発明の好ましい、各実施例を順に説明する。しかし、この各図面と、各図面に基づく説明は、本発明の好ましい一例であって、この説明と各図面に限定されない。従って、発明の趣旨の範囲において構成の一部を変更する構造とか、同じ特徴と効果を達成できる構造、等は、本発明の範疇である。本発明では、前述の如く、リールを付けたまま、元竿及び穂先の釣り糸ガイドに、リールに釣り糸を通し、元竿と穂先を切り離した（別体でない）状態で、元竿及び穂先、釣り糸ガイド、並びに釣り糸を破損することなく持ち運びが可能となることを意図する。
【００３３】
第一実施例を示した、図１−１〜図１−１０は、リールシート１をリング形状の多数個の短管体２、２…………２ｎ（原則として、２とする）で形成する。この短管体２は、例えば、木質、又は金属製、樹脂製、或いはグラスファイバー、炭素繊維強化複合材料樹脂製の何れかで形成されている。また、この短管体２には、図１−４と図１−５等のように、差込み片２００を形成し、確実な繋ぎを図る。また、多数個の短管体２は、図示しないが、差込み片２００を設けずに、どん付け方式も可能である。この短管体２のキャップ２ａには、図１−６のように、別体の先端部（後端部）に金属製、又は耐性素材でなる口金２ｂを形成するとともに、口金２ｂには孔３を形成する。この孔３は、各短管体２の長手方向Ｘの連通孔３０１、及び／又は、後述する切欠き５０（切欠き部位）、及びガイド間の隙間９（径方向の隙間）に繋がる構造である。尚、口金２ｂは、キャップ２ａと、同じ素材構造、及び／又は、一体構造も有り得る。
【００３４】
図１−４に示した補強パイプ５は、竿芯６の誘導と、竿芯６がグラスファイバー等の可撓性素材で、短管体２が木質等の耐性素材との組合せ時のギャップ回避（撓み時の撓みギャップとか、短管体２の亀裂防止等）を図る。従って、必要時にのみ組み合わせることを意図する（一例である）。また、補強パイプ５は、短管体２（リールシート１）と竿芯６の間に設置するが、尻栓７に到ることも有り得る。図中５０は切欠きであり、補強パイプ５の長手方向の略全体に形成されており、切欠き５０は、後述する、穂先１０の差込みと、補強パイプ５の縮径とか可撓性等を担う。また、図中５１は、切欠き５０の切欠き端辺５０ａ、５０ｂと補強パイプ５の内周面５ａに跨り、一個又は複数個設けられたガイド（ブッシュ）である。このガイド５１は、補強パイプ５の保護と、穂先１０の差込みを許し、かつ抱持、及び／又は、保護する。さらに、補強パイプ５は、原則として、この一例では、可撓性樹脂、薄肉形態であり、芯竿６と、短管体２及びリールシート１の間に設置される。
【００３５】
そして、図１−５に示した、竿芯６の外周面（符号なし）と、各短管体２の各内周面（符号なし）、又は補強パイプ５の内周面５ａとの間には、リング形態となる空間８がそれぞれ形成されるとともに、空間８を確保するように、竿芯６の外周面には、各差込み片２００、又はガイド５１の各内周面（符号なし）が、例えば、密着するように添接支持される。尚、短管体２は必要とする数を連結する。尚、空間８は、図示の如く、竿芯６の軸方向に限らず、図示しないが、短管体２の放射方向とか、その他の形態でも可能である。また、空間８は、図示の如く、リング形態（リング）に限らず、孔形態とか軸方向のスリット形態でも可能である。
【００３６】
この第一実施例では、穂先１０と竿芯６に、それぞれ釣り糸ガイド１１と釣り糸１２を備えた状態で、穂先１０を、開口した孔３（切欠き孔態様）から連通孔３０１、及び／又は、切欠き５０と、ガイド５１の隙間９に差入れて支持する。そして、図１−２、図１−８〜図１−１０に示した如く、竿芯６と穂先１０を固定するために止め具１３を利用する。この止め具１３の好ましい一例は、ゴム、シリコン、又は各種樹脂等の弾性、かつ可撓性で、かつ耐塩水（水）性を備えた素材に、コーティング処理した構成とする。止め具１３は、キャップ本体１３００と、このキャップ本体１３００に差込み支持する緩衝材、ゴム材等でなり二個（複数個も有り）の孔１３０１ａ、１３０１ｂを有するキャップ１３０２で構成する。この孔１３０１ａ、１３０１ｂには、竿芯６の開口先端側、及び穂先１０の差込み基端部が差込み支持される。キャップ１３０２は、キャップ本体１３００に取付け、取外し自在である。また、キャップ本体１３００と、キャップ１３０２の取付け構造としては、図１−９と図１−１０に示した構造が一例である。図１−９は、このキャップ本体１３００の内周面１３００ａに凹部１３００ｂを形成し、同様にキャップ１３０２の外周面１３０２ａに凹部１３０２ｂを形成する。そして、凹部１３００ｂ・１３０２ｂには、シリコン、又は樹脂等の経年硬化する係止手段を補填し、この係止手段の硬化でキャップ本体１３００とキャップ１３０２を固定する。凹部１３００ｂと凹部１３０２ｂは合体する構想が望ましいが限定されない。図１−１０は、このキャップ本体１３００の内周面１３００ａに係止部（被係止部）１３００ｃを形成し、キャップ２の外周面１３０２ａに被係止部（係止部）１３０２ｃを形成する。そして、係止部１３００ｃに被係止部１３０２ｃを、嵌合係止等の係止手段で、固定する。この係止部１３００ｃ、及び／又は、被係止部１３０２ｃの構造は、種々存在するので、説明は割愛する。図１−１１〜図１−１６は、それぞれ別の各例を示しているが、内容は前述の例に準ずる。
【００３７】
図中１４はリールシート１に取付けたリールである。
【００３８】
第二実施例を示した、図２−１〜図２−８は、リールシート１が一体構造の例である。このリールシート１は、例えば、金属製、樹脂製、又はグラスファイバー、炭素繊維強化複合材料樹脂製の何れかで形成されている。このリールシート１のキャップ２ａには、孔３を形成し、この孔３は、各短管体２の長手方向Ｘの連通孔３０１に繋がる構造である。その他は、前述の第一実施例に準ずる。また、飾りとして短管体２を設けた例を示しているが、一例であり限定されない。そして、図２−６（イ）では、キャップ２ａは口金擬制態様である。図２−６（ロ）は、キャップ２ａと口金２ｂを嵌め合わせ関係とし、両者を固止した状態の一例である。尚、図２−８（イ）は、リールシート１の元竿側の端部に口金２ｂを設けた他の例であり、この口金２ｂは孔３を備えない。また、図２−８（ロ）は、キャップ２ａと口金２ｂの他の一例であり、口金２ｂには開口なし孔３（切欠き無し孔態様）を備える。また、図２−６（イ）のように、口金２ｂ無しでは、キャップ２ａに、開口なし孔３を設ける別の一例もある。また、図２−８（ロ）にあるように、補強パイプ５には、底付きの防水パイプ２３を差入れることも有り得る。
【００３９】
第三実施例を示した、図３−１、図３−２の各図は、穂先１０を竿芯６に、一個又は複数個の止めパーツ２０を利用して並設する構成であり、この止めパーツ２０には、穂先１０と竿芯６を差込み支持、又は抱持支持する係止部２０ａ、２０ｂを備える。そして、この止めパーツ２０は、ゴム、シリコン、又は各種樹脂等の弾性、かつ可撓性で、かつ耐塩水（水）性を備えた素材で構成する。このゴム、シリコン、又は各種樹脂等では、例えば、耐塩水性等の向上が図れる（他の例も同じ）。尚、竿芯６と穂先１０を、固定するために止め具１３（この例では貫通形態の孔１３０１を示している）を利用する等の所作は、前述の例に基づく。そして、図３−１（イ）〜（チ）には、止め具１３の他の例が、それぞれ示してあり、以下に説明する。（イ）はキャップ本体１３００には、竿芯６挿入用の一部を開口した孔１３０１ａと、穂先１０挿入用孔１３０１ｂの組み合わせである。また、（ロ）はキャップ本体１３００には、竿芯６挿入用の一部を開口した孔１３０１ａと、穂先１０挿入用の一部を開口した孔１３０１ｂの組み合わせである。（ハ）はキャップ本体１３００には、竿芯６挿入用の貫通した孔１３０１ａと、穂先１０挿入用の貫通した孔１３０１ｂの組み合わせである。孔径は、孔１３０１ａ＞孔１３０１ｂとなるが、一例である。また、（ハ´）はキャップ本体１３００には、竿芯６挿入用の貫通したテーパー形状で間口が広い形態の孔１３０１ａと、穂先１０挿入用の貫通したテーパー形状で間口が広い形態の孔１３０１ｂの組み合わせである。孔径は、孔１３０１ａ＞孔１３０１ｂとなるが、一例である。さらに、（ニ）と（ニ´）は前述した（ハ）と（ハ´）に準ずるが、その相違点は、孔１３０１ａと孔１３０１ｂが底部を備えていることである。（ホ）はキャップ本体１３００にメッシュのキャップ１３０２を設けた構造であり、メッシュ隙間を、竿芯６挿入用孔１３０１ａと、穂先１０挿入用孔１３０１ｂに代替する。一例である。（へ）はチューブ状のキャップ本体１３００と、竿芯６挿入用孔１３０１ａと、穂先１０挿入用孔１３０１ｂの組み合わせであり、かつ管体構造とする一例である。（ト）は板状のキャップ本体１３００に、竿芯６挿入用開口を備えた孔１３０１ａと、穂先１０挿入用開口を備えた孔１３０１ｂの組み合わせである。図中１３０３は持ち手（支持部）を示した一例である。１３０４は飾り物、１３０５はタグを示している。特性と自己の持ち物を表現する。また、（チ）は前記（ト）等の変形例である。
【００４０】
第四実施例を示した、図４−１〜図４−４は、穂先１０を竿芯６に、一本又は数本の補助管２１を利用して並設する構成であり、この補助管２１には、穂先１０を差込み支持、又は包被支持する。そして、必要により、補助管２１は、一個又は複数個の止めパーツ２０を利用して、竿芯６に並設する。止めパーツ２０は、ゴム、シリコン、その他の各種樹脂等の弾性、かつ可撓性で、かつ耐塩水（水）性を備えた素材で構成する。そして、竿芯６と穂先１０を、固定するために止め具１３を利用する等の所作は、前述の例に基づく。図中３０は開口（符号なし）に繋がる切込みであり、切込み３０は釣り糸１２のリターン時の折り返しのための誘導、又は釣り糸１２損傷防止とか、緩み状態の緩衝等に役立てる（他の例も同じ）。尚、図４−３は、図４−１に使用した止め具１３のその他の各例と、この止め具１３と補助管２１等の取付けを説明する拡大斜視図で、（イ）は、補助管用の孔１３０１ｂにブッシュ１３０１ｃを嵌入し、かつ差込み孔１３０１ｂと、ブッシュ１３０１ｃの上側に陥没部１３０１ｄを形成した構造であり、これを受けて、（ロ）の如く、陥没部１３０１ｄに補助管２１を差込み支持する。この際に切込み３０は、止め具１３の孔１３０１ｂの竿芯側に露出する。また、（イ´）は、補助管用の孔１３０１ｂに凸が形成される凸部１３０１ｅを備えたブッシュ１３０１ｃを差込み支持し、この凸部１３０１ｅは、止め具１３の凸部１３０１ｅは、孔１３０１ｂの竿芯側に露出する構造であり、これを受けて、（ロ´）の如く、凸部１３０１ｅに補助管２１を被嵌する。この際に切込み３０は、止め具１３の孔１３０１ｂの竿芯側に露出する。また、図４−４は、図４−１に使用した補助管２１の一例の斜視図を示す。
【００４１】
図５は、第五実施例であり、付属品に設けた穂先用の差込み孔３０２で、例えば、リールシート１又は短管体２に設けた例では、防水等のシール手段２２（コーティング、チューブの付設等）を施した一例であって、差込み孔３０２に入った海水等の水を速やかに排出し、竿芯６、付属品等の保護と、腐蝕回避、海水漏洩防止等を図る。尚、図示しないが、空間８にも同じようにシール手段２２を設けることも可能である。
【００４２】
図６は、第六実施例であり、付属品等に設けた穂先用の差込み孔３０２に防水パイプ２３（原則として、切欠き５０は備えない構造とする。以下同じ）を付設した構造であり、尻部にゴム、シリコン等による着脱自在の止め栓２４を有する。尚、防水パイプ２３の開口に差し込み用の孔（図示せず）を形成することも有り得る。この防水パイプ２３は抜き差し１３は、自在とする。その他は、第五実施例に準ずる。図示しないが、ガイド部、係止部等を有する。
【００４３】
図７は、第七実施例であり、穂先用の差込み孔３０２に防水パイプ２３を付設した構造であり、尻部にゴム、シリコン等による着脱自在の止め栓２４を有する。この防水パイプ２３は抜き差し自在とする。その他は、第五・六実施例に準ずる。
【００４４】
各実施例で説明した止め具１３において、キャップ本体１３００に貫通孔を形成し、この貫通孔と孔１３００ａ、１３００ｂを繋げる構成とか、孔１３０１ａ、１３０１ｂを、止め具１３に貫通形成すること等の各種の変形例も可能である。この止め具１３では、図示しないが図１−８〜１−１６における各形態は、図４−３（イ）、（イ´）〜（ロ）、（ロ´）における各形態の組み合わせも可能である。
【符号の説明】
【００４５】
１  リールシート
２〜２ｎ  短管体
２ａ  キャップ
２ｂ  口金
２００  差込み片
３  孔
３０１  連通孔
３０２  差込み孔
５  補強パイプ
５ａ  内周面
５０  切欠き
５０ａ  端辺
５０ｂ  端辺
５１  ガイド
６  竿芯
７  尻栓
８  空間
９  隙間
１０  穂先
１１  釣り糸ガイド
１２  釣り糸
１３  止め具
１３００  キャップ本体
１３００ａ  内周面
１３００ｂ  凹部
１３００ｃ  係止部
１３０１ａ  孔
１３０１ｂ  孔
１３０１ｃ  ブッシュ
１３０１ｄ  陥没部
１３０１ｅ  凸部
１３０２  キャップ
１３０２ａ  外周面
１３０２ｂ  凹部
１３０２ｃ  被係止部
１３０３  持ち手
１３０４  飾り物
１３０５  タグ
１４  リール
２０  止めパーツ
２０ａ  係止部
２０ｂ  係止部
２１  補助管
２２  シール手段
２３  防水パイプ
２４  止め栓
３０  切込み
【要約】
【課題】
従来の構造は、竿芯、穂先を収容することに関しては、有効である。しかし、移動時のことを考えた場合には、問題があった。本発明は、その改良である。
【解決手段】  
本発明は、竿芯の外周面に、グリップ又はリールシートの付属品を設け、竿芯と付属品との間に、軸方向に向かって形成した空間を備え、この空間に、穂先を、釣り糸と釣り糸ガイドとを備えた態様で収容できることを特徴とする。所謂、穂先に釣り糸及び／又は釣り糸ガイドを取付けた状態で竿芯に保持可能な構造である。特徴は、竿芯と穂先を確実、かつ安定的に保持し、移動できることにある。
【選択図】      図１−１【図１−１】
0006656530.tif 000002
【図１−２】
0006656530.tif 000003
【図１−３】
0006656530.tif 000004
【図１−４】
0006656530.tif 000005
【図１−５】
0006656530.tif 000006
【図１−６】
0006656530.tif 000007
【図１−７】
0006656530.tif 000008
【図１−８】
0006656530.tif 000009
【図１−９】
0006656530.tif 000010
【図１−１０】
0006656530.tif 000011
【図１−１１】
0006656530.tif 000012
【図１−１２】
0006656530.tif 000013
【図１−１３】
0006656530.tif 000014
【図１−１４】
0006656530.tif 000015
【図１−１５】
0006656530.tif 000016
【図１−１６】
0006656530.tif 000017
【図２−１】
0006656530.tif 000018
【図２−２】
0006656530.tif 000019
【図２−３】
0006656530.tif 000020
【図２−４】
0006656530.tif 000021
【図２−５】
0006656530.tif 000022
【図２−６】
0006656530.tif 000023
【図２−７】
0006656530.tif 000024
【図２−８】
0006656530.tif 000025
【図３−１】
0006656530.tif 000026
【図３−２】
0006656530.tif 000027
【図４−１】
0006656530.tif 000028
【図４−２】
0006656530.tif 000029
【図４−３】
0006656530.tif 000030
【図４−４】
0006656530.tif 000031
【図５】
0006656530.tif 000032
【図６】
0006656530.tif 000033
【図７】
0006656530.tif 000034